(57)【要約】      （修正有）【課題】左右両側の縦フレームの下端部にそれぞれ嵩上げ用脚部を装着した際に安定性を向上させることができる多機能フェンスを提供する。【解決手段】ジョイント金具１６の両端部の一方の側面には、当該ジョイント金具の長手方向に対し直交する方向に突出した突起部１６ｅ、１６ｆを設ける一方、下側水平フレーム１３の側面と、嵩上げ用脚部１７の嵩上げ用脚部支柱１７ｂの側面には、それぞれ、ジョイント金具の突起部が挿入される突起部挿入孔を設けており、嵩上げ用脚部支柱には、下側水平フレーム１３の側面と嵩上げ用脚部の嵩上げ用脚部支柱の側面に設けられた突起部挿入孔に突起部を挿入して方杖として機能するジョイント金具を外側から押えるジョイント金具押えバー１７ｂ５を設ける。【選択図】図１２
0003235011.tif 000002
【実用新案登録請求の範囲】
【請求項１】
左右両側の縦フレームとそれらの上下に設けられた上側水平フレームおよび下側水平フレームとを備えたほぼ長方形状のフレームと、そのフレームに囲まれた空間を覆う間仕切り材とを備えた多機能フェンスであって、
縦フレームの上端部および下端部には、ジョイント金具が挿入される金具挿入穴が設けられており、縦フレーム上端部の金具挿入穴に挿入された前記ジョイント金具の突出部分を別の多機能フェンスの縦フレーム下端部の金具挿入穴に挿入して上下方向に複数段の多機能フェンスが連結できるように構成すると共に、縦フレームの下端部の金具挿入穴にはさらに嵩上げ用脚部を挿入して多機能フェンスの高さを嵩上げできるように構成し、
前記ジョイント金具の長手方向の両端部には、それぞれ、当該ジョイント金具の長手方向に対し直交する方向に突出した突起部が設けられている一方、
前記下側水平フレームの側面と、前記嵩上げ用脚部の嵩上げ用脚部支柱の側面には、それぞれ、前記ジョイント金具の突起部が挿入される突起部挿入孔が設けられており、
前記ジョイント金具は、前記嵩上げ用脚部支柱の側面と前記下側水平フレームの側面に設けられた前記突起部挿入孔に前記突起部を挿入することによって前記嵩上げ用脚部支柱と前記下側水平フレームとの間の方杖として機能することを特徴とする多機能フェンス。
【請求項２】
請求項１記載の多機能フェンスにおいて、
前記嵩上げ用脚部支柱には、当該嵩上げ用脚部支柱の側面と前記下側水平フレームの側面に設けられた前記突起部挿入孔に前記突起部が挿入されて方杖として機能する前記ジョイント金具を外側から押えるジョイント金具押えバーが設けられていることを特徴とする多機能フェンス。
【請求項３】
請求項２記載の多機能フェンスにおいて、
前記ジョイント金具押えバーは、その基端部が前記嵩上げ用脚部支柱における前記突起部挿入孔が設けられた側面に回動可能に設けられ、回動することによって当該嵩上げ用脚部支柱の側面と前記下側水平フレームの側面に設けられた前記突起部挿入孔に前記突起部が挿入されて方杖として機能する前記ジョイント金具に重なって当該ジョイント金具を外側から押えることを特徴とする多機能フェンス。
【請求項４】
請求項３載の多機能フェンスにおいて、
前記ジョイント金具の裏面には、少なくとも一方の端部から突出したベルトが所定間隔を開けた複数本のビスで取り付けられており、
その複数本のビスの内、一本のビスは、前記ジョイント金具押えバーが基端を中心に回転して当該嵩上げ用脚部支柱の側面と前記下側水平フレームの側面に設けられた前記突起部挿入孔に前記突起部が挿入された当該ジョイント金具を外側から押えた状態からさらに回転した際に、前記ジョイント金具押えバーに当接する位置に設けられ、前記ジョイント金具押えバーの回転し過ぎを防止することを特徴とする多機能フェンス。
【請求項５】
請求項１〜請求項４のいずれか一の請求項に記載の多機能フェンスにおいて、
前記嵩上げ用脚部支柱は、所定の厚さを有する方形状で中空の角パイプで構成されている一方、
前記嵩上げ用脚部ベースは、その上面に前記嵩上げ用脚部支柱を構成する角パイプの内幅と同じ幅を有し中空の下端部に挿入される一対の脚部支柱挿入片が設けられ、その一対の脚部支柱挿入片の外側面間の間隔は、前記嵩上げ用脚部支柱を構成する角パイプの内幅と同じで、かつ、その一対の脚部支柱挿入片の内側面間の間隔は、前記嵩上げ用脚部支柱の所定の厚さの２倍であり、
前記嵩上げ用脚部支柱は、前記嵩上げ用脚部ベースの前記一対の脚部支柱挿入片を全てまたは片方ずつ挿入して着脱可能に構成されていることを特徴とする多機能フェンス。
【請求項６】
請求項５に記載の多機能フェンスにおいて、
前記一対の脚部支柱挿入片は、前記嵩上げ用脚部ベースの上面であって短手方向の中心から片側にずらして設けられており、前記嵩上げ用脚部によって嵩上げした多機能フェンス同士を隣接して直線状に並べた際に隣接する多機能フェンスの縦フレームの間に隙間が空かないように構成したことを特徴とする多機能フェンス。
【請求項７】
請求項１〜請求項６のいずれか一の請求項に記載の多機能フェンスにおいて、
前記縦フレームの上端部および下端部には、前記ジョイント金具が挿入される金具挿入穴が設けられており、前記縦フレーム上端部の金具挿入穴に挿入された前記ジョイント金具の突出部分を別の多機能フェンスの縦フレーム下端部の金具挿入穴に挿入して上下方向に複数段の多機能フェンスが連結できるように構成したことを特徴とする多機能フェンス。
【考案の詳細な説明】
【技術分野】
【０００１】
本考案は、左右両側の縦フレームとそれらの上下に設けられた上側水平フレームおよび下側水平フレームとを備えたほぼ長方形状のフレームと、そのフレームに囲まれた空間を覆う間仕切り材とを備えた多機能フェンスに関し、特に、嵩上げ用脚部を装着することによって高さを嵩上げすることができる多機能フェンスに関するものである。
【背景技術】
【０００２】
体育館で競技する卓球等の防球用フェンスとして使用する場合は上下方向に積み上げずに上下方向に１段で使用し、災害時等におけるプライバシー確保や目隠し目的のため簡易仕切りパネルや間仕切り等して使用する場合にはジョイント金具によって上下方向に積み上げて２段以上で使用可能な多機能フェンスを提案している（例えば、特許文献１参照。）。この多機能フェンスの発明では、さらに、左右両側の縦フレームの下端部にそれぞれ装着して多機能フェンスの高さを嵩上げする嵩上げ用脚部を設けている。
【先行技術文献】
【特許文献】
【０００３】
【特許文献１】特許第６７１９０４１号公報
【考案の概要】
【考案が解決しようとする課題】
【０００４】
しかしながら、上記背景技術の多機能フェンスの嵩上げ用脚部は、多機能フェンスの左右両側の縦フレームの下端部にそれぞれ嵩上げ用脚部の支柱を差し込んで装着しているに過ぎないため、縦フレームの下端部と嵩上げ用脚部の支柱との接合に安定性に欠けるという問題があった。
【０００５】
特に、複数の多機能フェンスを上下方向に２段以上積み上げた場合や横方向にＬ字形状に設置せずに一直線上の横並びに連結した状態で嵩上げ用脚部を装着して高さを嵩上げする場合、多機能フェンス全体の重量が増して安定性に欠けるという問題があった。
【０００６】
そこで、本考案はこのような問題点に着目してなされたもので、左右両側の縦フレームの下端部にそれぞれ嵩上げ用脚部を装着した際に安定性を向上させることができる多機能フェンスを提供することを目的とする。
【課題を解決するための手段】
【０００７】
課題を解決するため、本考案に係る多機能フェンスは、左右両側の縦フレームとそれらの上下に設けられた上側水平フレームおよび下側水平フレームとを備えたほぼ長方形状のフレームと、そのフレームに囲まれた空間を覆う間仕切り材とを備えた多機能フェンスであって、縦フレームの上端部および下端部には、ジョイント金具が挿入される金具挿入穴が設けられており、縦フレーム上端部の金具挿入穴に挿入された前記ジョイント金具の突出部分を別の多機能フェンスの縦フレーム下端部の金具挿入穴に挿入して上下方向に複数段の多機能フェンスが連結できるように構成すると共に、縦フレームの下端部の金具挿入穴にはさらに嵩上げ用脚部を挿入して多機能フェンスの高さを嵩上げできるように構成し、前記ジョイント金具の長手方向の両端部には、それぞれ、当該ジョイント金具の長手方向に対し直交する方向に突出した突起部が設けられている一方、前記下側水平フレームの側面と、前記嵩上げ用脚部の嵩上げ用脚部支柱の側面には、それぞれ、前記ジョイント金具の突起部が挿入される突起部挿入孔が設けられており、前記ジョイント金具は、前記嵩上げ用脚部支柱の側面と前記下側水平フレームの側面に設けられた前記突起部挿入孔に前記突起部を挿入することによって前記嵩上げ用脚部支柱と前記下側水平フレームとの間の方杖として機能することを特徴とする。
また、本考案に係る多機能フェンスでは、前記嵩上げ用脚部支柱には、当該嵩上げ用脚部支柱の側面と前記下側水平フレームの側面に設けられた前記突起部挿入孔に前記突起部が挿入されて方杖として機能する前記ジョイント金具を外側から押えるジョイント金具押えバーが設けられていることも特徴とする。
また、本考案に係る多機能フェンスでは、前記ジョイント金具押えバーは、その基端部が前記嵩上げ用脚部支柱における前記突起部挿入孔が設けられた側面に回動可能に設けられ、回動することによって当該嵩上げ用脚部支柱の側面と前記下側水平フレームの側面に設けられた前記突起部挿入孔に前記突起部が挿入されて方杖として機能する前記ジョイント金具に重なって当該ジョイント金具を外側から押えることも特徴とする。
また、本考案に係る多機能フェンスでは、前記ジョイント金具の裏面には、少なくとも一方の端部から突出したベルトが所定間隔を開けた複数本のビスで取り付けられており、その複数本のビスの内、一本のビスは、前記ジョイント金具押えバーが基端を中心に回転して当該嵩上げ用脚部支柱の側面と前記下側水平フレームの側面に設けられた前記突起部挿入孔に前記突起部が挿入された当該ジョイント金具を外側から押えた状態からさらに回転した際に、前記ジョイント金具押えバーに当接する位置に設けられ、前記ジョイント金具押えバーの回転し過ぎを防止することも特徴とする。
また、本考案に係る多機能フェンスでは、前記嵩上げ用脚部支柱は、所定の厚さを有する方形状で中空の角パイプで構成されている一方、前記嵩上げ用脚部ベースは、その上面に前記嵩上げ用脚部支柱を構成する角パイプの内幅と同じ幅を有し中空の下端部に挿入される一対の脚部支柱挿入片が設けられ、その一対の脚部支柱挿入片の外側面間の間隔は、前記嵩上げ用脚部支柱を構成する角パイプの内幅と同じで、かつ、その一対の脚部支柱挿入片の内側面間の間隔は、前記嵩上げ用脚部支柱の所定の厚さの２倍であり、前記嵩上げ用脚部支柱は、前記嵩上げ用脚部ベースの前記一対の脚部支柱挿入片を全てまたは片方ずつ挿入して着脱可能に構成されていることも特徴とする。
また、本考案に係る多機能フェンスでは、前記一対の脚部支柱挿入片は、前記嵩上げ用脚部ベースの上面であって短手方向の中心から片側にずらして設けられており、前記嵩上げ用脚部によって嵩上げした多機能フェンス同士を隣接して直線状に並べた際に隣接する多機能フェンスの縦フレームの間に隙間が空かないように構成したことも特徴とする。
また、本考案に係る多機能フェンスでは、前記縦フレームの上端部および下端部には、前記ジョイント金具が挿入される金具挿入穴が設けられており、前記縦フレーム上端部の金具挿入穴に挿入された前記ジョイント金具の突出部分を別の多機能フェンスの縦フレーム下端部の金具挿入穴に挿入して上下方向に複数段の多機能フェンスが連結できるように構成したことも特徴とする。
【考案の効果】
【０００８】
本考案に係る多機能フェンスでは、ジョイント金具の両端部の一方の側面には、それぞれ、当該ジョイント金具の長手方向に対し直交する方向に突出した突起部が設けられている一方、下側水平フレームの側面と、嵩上げ用脚部の嵩上げ用脚部支柱の側面には、それぞれ、ジョイント金具の突起部が挿入される突起部挿入孔が設けられており、嵩上げ用脚部の嵩上げ用脚部支柱には、下側水平フレームの側面と嵩上げ用脚部の嵩上げ用脚部支柱の側面に設けられた突起部挿入孔に突起部が挿入されたジョイント金具を外側から押えるジョイント金具押えバーを設けている。
そのため、本考案によれば、ジョイント金具が水平材である下側水平フレームと垂直材である嵩上げ用脚部支柱とを連結する際の方杖（斜め補強材）として機能するので、多機能フェンスを構成する縦フレームの下端部にそれぞれ嵩上げ用脚部を装着した場合でも安定性を向上させることができる。
【図面の簡単な説明】
【０００９】
【図１】（ａ），（ｂ）それぞれ、本考案に係る実施形態の多機能フェンス（間仕切りシートを省略。）の正面図、側面図である。
【図２】本考案に係る実施形態の多機能フェンスの右側上端部と右側下端部とを拡大して示す拡大正面図である。
【図３】（ａ），(ｂ)それぞれ、本考案に係る実施形態の多機能フェンスを構成するジョイント金具の正面図、側面図である。
【図４】本考案に係る実施形態の多機能フェンスを構成するジョイント金具の長尺側を下にして縦フレームの上側金具挿入穴に収容した状態を示す要部拡大断面図である。
【図５】本考案に係る実施形態の多機能フェンスを構成するジョイント金具の短尺側を下にして縦フレームの上側金具挿入穴に挿入して状端部を突出させ、突出した上端部に別の多機能フェンスの縦フレームの下側金具挿入穴に挿入させた状態を示す要部拡大断面図である。
【図６】本考案に係る実施形態の多機能フェンスを構成する嵩上げ用脚部の斜視図である。
【図７】本考案に係る実施形態の多機能フェンスを構成する嵩上げ用脚部の右側面図である。
【図８】本考案に係る実施形態の多機能フェンスを構成する嵩上げ用脚部の正面図である。
【図９】（ａ）〜（ｄ）それぞれ、本考案に係る実施形態の多機能フェンスを構成する嵩上げ用脚部の嵩上げ用脚部ベースの正面図、平面図、底面図、側面図である。
【図１０】（ａ）〜（ｄ）それぞれ、本考案に係る実施形態の多機能フェンスを構成する嵩上げ用脚部の嵩上げ用脚部支柱（ジョイント金具押えバーを下げている状態）の正面図、右側面図、平面図、ジョイント金具押えバーを回転させて上げた状態を示す正面図である。
【図１１】本発明に係る実施形態の多機能フェンスを上下方向に２段連結すると共に左右方向にも２台横並びに連結した上で、下段の多機能フェンスに嵩上げ用脚部を装着して嵩上げした状態を示す斜視図である。
【図１２】図１１におけるＡ部分を拡大して示す図、つまり本考案に係る実施形態の多機能フェンスにおける最外側の多機能フェンスを嵩上げしてジョイント金具を下側水平フレームと嵩上げ用脚部支柱の方杖（斜め補強材）として機能させた際、ジョイント金具押えバーを回転させてジョイント金具の側面を外側から押えた状態を示す正面図である。
【図１３】図１１におけるＡ部分を拡大して示す図、つまり本考案に係る実施形態の多機能フェンスにおける最外側の多機能フェンスを嵩上げ用脚部によって嵩上げしてジョイント金具を下側水平フレームと嵩上げ用脚部支柱の方杖（斜め補強材）として機能させ、かつ、ジョイント金具押えバーを回転させてジョイント金具の側面を外側から押えた状態を示す側面図である。
【図１４】図１１におけるＢ部分を拡大して示す図、つまり本考案に係る実施形態の多機能フェンスを横並びに複数台連結した際に縦フレームが隣合う箇所における２本の縦フレームを嵩上げしてジョイント金具を下側水平フレームと嵩上げ用脚部支柱の方杖（斜め補強材）として機能させ、かつ、ジョイント金具押えバーを回転させてジョイント金具の側面を外側から押えた状態を示す正面図である。
【考案を実施するための形態】
【００１０】
以下、本考案に係る多機能フェンスの実施形態を、添付図面を参照しながら詳細に説明する。なお、下記に説明する実施形態はその寸法等も含めあくまで本考案の一例であり、本考案は下記の実施形態に限定されるものではなく、本考案の技術思想の範囲内で適宜変更可能である。
【００１１】
実施形態の多機能フェンス１は、図１に示すように左右両側の縦フレーム１１，１１と左右両側の縦フレーム１１，１１の上下それぞれに設けられた上側水平フレーム１２および下側水平フレーム１３とをコーナー金具１４等で長方形状に連結した長方形フレーム１０と、その長方形フレーム１０に囲まれた空間を覆う間仕切りシート１５（図１等では省略しており、図２で図示している。）と、実施形態の多機能フェンス１を上下方向に積載する際や嵩上げ用脚部１７（図６〜図１３参照。）によって嵩上げする際に使用するジョイント金具１６（図１では省略しているため、図３〜図５等参照。）と、嵩上げ用脚部１７等を備えたもので、卓球やバレーボール、バスケットボール等の球技の防球フェンスとして使用する場合には多機能フェンス１を上下方向に積載せずに使用する一方、災害時や目隠しフェンスとして使用する場合には多機能フェンス１を上下方向に積載したり、さらには嵩上げ用脚部１７によって高さを嵩上げすることによって高さを容易かつ簡単に変更できるように構成している。
【００１２】
ここで、長方形フレーム１０の大きさ（寸法）は、例えば、図１(ａ)に示すように幅が１４００ｍｍ、高さを７５０ｍｍとしている。また、下側水平フレーム１３の左右両側の下面側には、それぞれ後述する回転式標準脚部１３ａを設けており、回転式標準脚部１３ａは、その高さが例えば１５ｍｍで、前後両端の位置から不等分な位置に回転軸によって回転可能に構成している。
【００１３】
また、長方形フレーム１０を構成する左右両側の縦フレーム１１，１１、上側水平フレーム１２、下側水平フレーム１３および嵩上げ用脚部１７の嵩上げ用脚部支柱１７ｂは、共に断面が正方形状で同一断面サイズの角パイプから構成されており、丸パイプの場合よりも上下方向に連結（積載）し易く構成している。さらに、図１では、図示を省略しているが、右の縦フレーム１１，１１、上側水平フレーム１２および下側水平フレーム１３の表面側および裏面側には、図２に示すように、それぞれ２０ｃｍ程度の設置間隔で間仕切りシート１５を張り付けることが出来るように例えば雄の面ファスナー１５ｂが巻き付けたり、接着剤等で設けられている。
【００１４】
（縦フレーム１１，１１）
縦フレーム１１，１１は、断面が正方形状の角パイプから構成されているため、その上端部および下端部には、それぞれ、後述する図４や図５等に示すようにジョイント金具１６が挿入される上側金具挿入穴１１ａと下側金具挿入穴１１ｂが設けられている。
【００１５】
左右両側の縦フレーム１１と上側水平フレーム１２とは、図２や図４等に示すように９０度に折れ曲がったコーナー金具１４と平板状で縦フレーム１１，１１内に挿入される水平受金具１４ａとを２本のネジ１４ｂによって連結しており、縦フレーム１１の上側金具挿入穴１１ａ内で突出する水平受金具１４ａが上側金具挿入穴１１ａ内におけるジョイント金具１６のフレーム側ストッパーとして機能する。
【００１６】
ここで、図２に示すように縦フレーム１１の上側金具挿入穴１１ａ内における水平受金具１４ａ上端部から縦フレーム１１上端部までの長さをＬ１とする。
【００１７】
また、図４に示すように、左右両側の縦フレーム１１の断面正方形状の角パイプの厚さ（肉厚）をＷ１、縦フレーム１１の内側面間の間隔をＷ２、水平受金具１４ａの上面から反対側の縦フレーム１１の内側面までの幅をＷ３とする。
【００１８】
同様に左右両側の縦フレーム１１と下側水平フレーム１３とは、図２に示すように９０度に折れ曲がったコーナー金具１４と平板状で縦フレーム１１，１１内に挿入される水平受金具１４ａとを２本のネジ１４ｂによって連結しており、水平受金具１４ａが下側金具挿入穴１１ｂ内におけるジョイント金具１６のフレーム側ストッパーとして機能する。
【００１９】
ここで、図２に示すように水平受金具１４ａ下端部から縦フレーム１１下端部までの長さをＬ２とする。尚、Ｌ２はＬ１と同じでも勿論良い。
【００２０】
（上側水平フレーム１２）
上側水平フレーム１２も縦フレーム１１と同様に断面が正方形状の角パイプから構成されており、左右両側の縦フレーム１１，１１上端部とは、図２や図４等に示すようにコーナー金具１４とＬ字形状で水平部分が上側水平フレーム１２内に挿入される水平受金具１４ａとを２本のネジ１４ｂによって連結されている。
【００２１】
また、上側水平フレーム１２の左右両側の上側面には、後述するようにジョイント金具１６のジョイント金具側ストッパー１６ｄおよび突起部１６ｅ，１６ｆが入出して嵌る複数の連結用穴部（図示せず。）が設けられている。連結用穴部を設ける位置は、ジョイント金具１６を隣接する多機能フェンス１同士の直線状または直角に連結する際の連結金具として使用した場合にジョイント金具１６のジョイント金具側ストッパー１６ｄおよび突起部１６ｅ，１６ｆが嵌る位置に設けるようにする。
【００２２】
そして、本実施形態では、上側水平フレーム１２の左右両側のスライドシャッター挿入穴１２ｂには、それぞれ、そのスライドシャッター挿入穴１２ｂ内を水平方向（横方向）にスライドして左右両側の縦フレーム１１，１１の上側金具挿入穴１１ａを遮蔽したり露出させることができるようにスライドシャッター挿入穴１２ｂの高さとほぼ同じ高さを有する上側挿入穴用スライドシャッター１２ｃを有する。
【００２３】
上側挿入穴用スライドシャッター１２ｃは、直方体形状のスライド体１２ｃ１と、スライド体１２ｃ１の上面に設けられ左右両側の縦フレーム１１，１１の上側金具挿入穴１１ａを遮蔽したり露出させる平板状のシャッター体１２ｃ２とから構成されている。これにより、縦フレーム１１，１１の上側金具挿入穴１１ａ内にジョイント金具１６を収納させておく場合には、図２や図４に示すように図２や図４上、右側にスライドさせてシャッター体１２ｃ２により上側金具挿入穴１１ａを遮蔽して上側金具挿入穴１１ａ内にゴミや指等が入らないようにする一方、上側金具挿入穴１１ａからジョイント金具１６を取り出して使用する場合は、図５等に示すように図５上、左方向にスライドさせて上側金具挿入穴１１ａを露出させる（開ける）。
【００２４】
尚、図２では、上側挿入穴用スライドシャッター１２ｃを図上右方向にスライドさせて上側金具挿入穴１１ａを遮蔽し、図４でもジョイント金具１６のベルト１６ｂの二重折畳み部１６ｂ１は突出させているものの図上右方向にスライドさせて上側金具挿入穴１１ａを遮蔽して状態、図５ではジョイント金具１６を使用して多機能フェンス１を上下２段で連結しているため、下段の多機能フェンス１の上側挿入穴用スライドシャッター１２ｃを図５上、左方向にスライドさせて上側金具挿入穴１１ａを露出させ（開け）ている状態を示している。
【００２５】
（下側水平フレーム１３）
下側水平フレーム１３も縦フレーム１１および上側水平フレーム１２と同様に断面が正方形状でそれらと同一断面サイズの角パイプから構成されており、上側水平フレーム１２と同様に左右両側の縦フレーム１１，１１下端部とは、図２に示すようにコーナー金具１４とＬ字形状で水平部分が上側水平フレーム１２内に挿入される水平受金具１４ａとを２本のネジ１４ｂによって連結されている。
【００２６】
そして、下側水平フレーム１３の場合、その左右両側には、図１（ａ）や図２に示すように回転して下側水平フレーム１３と平行になる回転式の回転式標準脚部１３ａがネジ(図示せず。)によって回転可能に取り付けられている。左右の回転式標準脚部１３ａは、細幅の水平鋼板１３ａ１の前後両端の下面側に体育館等の床面の傷付きを防止する樹脂製の滑り止め１３ａ２が設けられて構成されており、水平鋼板１３ａ１の中央ではなく偏心した位置にネジ(図示せず。)で下側水平フレーム１３に回転可能に設けられている。尚、本考案では、嵩上げ用脚部１７を使用することを前提としているため、回転式標準脚部１３ａを省略しても良いが、下側水平フレーム１３と平行に回転させておけば邪魔にならないので、嵩上げ用脚部１７を使用する場合でも回転式標準脚部１３ａを設けたままで問題はない。
【００２７】
そして、本実施形態では、上側水平フレーム１２の左右両側のスライドシャッター挿入穴１２ｂに設けた上側挿入穴用スライドシャッター１２ｃと同様に、下側水平フレーム１３の左右両側のスライドシャッター挿入穴１３ｂにも、それぞれ、そのスライドシャッター挿入穴１３ｂ内を水平方向（横方向）にスライドして左右両側の縦フレーム１１，１１の下側金具挿入穴１１ｂ，１１ｂを遮蔽したり露出させることができるようにスライドシャッター挿入穴１３ｂの高さとほぼ同じ高さを有する下側挿入穴用スライドシャッター１３ｃを有する。
【００２８】
下側挿入穴用スライドシャッター１３ｃは、上側挿入穴用スライドシャッター１２ｃと同様に、直方体形状のスライド体１３ｃ１と、スライド体１３ｃ１の上面に設けられ左右両側の縦フレーム１１，１１の下側金具挿入穴１１ｂ，１１ｂを遮蔽したり露出させる平板状のシャッター体１３ｃ２とから構成されている。これにより、縦フレーム１１，１１の下側金具挿入穴１１ａ内にジョイント金具１６を収納させておく場合には、図２に示すように図２上、右側にスライドさせてシャッター体１３ｃ２により上側金具挿入穴１１ａを遮蔽して下側金具挿入穴１１ａからジョイント金具１６が落下することを防止等する一方、下側金具挿入穴１１ｂからジョイント金具１６を取り出して使用等する場合は、図５等に示すように図５上、左方向にスライドさせて下側金具挿入穴１１ｂを露出させる（開ける）。
【００２９】
尚、図２では、下側挿入穴用スライドシャッター１３ｃを図上右方向にスライドさせて下側金具挿入穴１１ｂを遮蔽し、図５ではジョイント金具１６を使用して多機能フェンス１を上下２段で連結しているため、上段の多機能フェンス１の下側挿入穴用スライドシャッター１３ｃを図５上、左方向にスライドさせて下側金具挿入穴１１ｂを露出させ（開け）ている状態を示している。
【００３０】
（間仕切りシート１５）
間仕切り部材としての間仕切りシート１５は、図２に示すように、左右両側の縦フレーム１１，１１、上側水平フレーム１２および下側水平フレーム１３等によって構成された長方形フレーム１０に囲まれた空間を閉めるように設けられる塩化ビニール等のシートで、その大きは長方形フレーム１０の大きさとほぼ同一に構成され、長方形フレーム１０の表側および裏側それぞれに別々に取り付けられる。
【００３１】
そのため、間仕切りシート１５の縁部には、図２に示すように、長方形フレーム１０側の雄の面ファスナー１５ｂと設置間隔と同じ２０ｃｍ程度の設置間隔で雌の面ファスナー１５ａが設けられており、長方形フレーム１０を構成する左右両側の縦フレーム１１，１１、上側水平フレーム１２および下側水平フレーム１３の表面側および裏面側それぞれに適宜間隔で設けられた雄の面ファスナー１５ｂに接着して着脱自在に取り付けることができるように構成されている。尚、間仕切りシート１５側が雄の面ファスナー１５ｂで、長方形フレーム１０側が雌の面ファスナー１５ａでも勿論良い。また、本考案では、間仕切り材は間仕切りシート１５に限定されるものではなく、ベニヤ板やプラスチック板等の板状の間仕切り材でも勿論良い。
【００３２】
（ジョイント金具１６）
ジョイント金具１６は、図３(ａ)，(ｂ)に示すように、左右両側の縦フレーム１１の断面正方形状の上側金具挿入穴１１ａおよび下側金具挿入穴１１ｂ内に挿入できるように上側金具挿入穴１１ａおよび下側金具挿入穴１１ｂの内幅Ｗ２（図４参照。）と同じかそれ以下の幅Ｗ４（≦Ｗ１）を有する長尺の鋼板からなるジョイント金具本体１６ａと、ジョイント金具本体１６ａにおける後述するジョイント金具側ストッパー１６ｄの設置位置からジョイント金具本体１６ａ端部までの長さが短尺側の端部、すなわち後述する突起部１６ｅ側のジョイント金具本体１６ａ端部から突出するようジョイント金具本体１６ａに４本のビス１６ｃで固定されたナイロン製等で折曲げ自在のベルト１６ｂ等を備えて構成されている。尚、４本のビス１６ｃの内、１本のビス１６ｃは後述する図１２や図１４に示すようにジョイント金具１６を下側水平フレーム１３と嵩上げ用脚部支柱１７ｂとの方杖（斜め補強材）として使用した際にジョイント金具１６が脱落しないようにジョイント金具１６の側面を外側から押えるジョイント金具押えバー１７ｂ５の回転止めとしても機能する。
【００３３】
そして、突起部１６ｅ側のジョイント金具本体１６ａ端部から突出するベルト１６ｂは、ユーザが掴み易く、かつ、縦フレーム１１，１１の上側金具挿入穴１１ａまたは下側金具挿入穴１１ｂに挿入し易くなるように上端部を折り曲げて二重にして二重折畳み部１６ｂ１を設けている。
【００３４】
ジョイント金具本体１６ａには、図３(ｂ)上、上端部から長さＬ３で、また図３(ｂ)上、下端部から長さＬ４の位置の不等分な位置に、縦フレーム１１，１１の上側金具挿入穴１１ａ内に設けられた水平受金具１４ａ上端部に当接するようにジョイント金具本体１６ａ表面からＤ１だけ突出したジョイント金具側ストッパー１６ｄが設けられている。尚、ジョイント金具側ストッパー１６ｄからベルト１６ｂの二重折畳み部１６ｂ１先端までの長さを、図３(ｂ)に示すようにＬ５とする。
【００３５】
ここで、図３(ｂ)に示すようにベルト１６ｂの二重折畳み部１６ｂ１の厚さとジョイント金具本体１６ａの厚さとを加算した厚さをＤ２とすると、縦フレーム１１，１１の上側金具挿入穴１１ａ内に挿入したジョイント金具１６のジョイント金具側ストッパー１６ｄが水平受金具１４ａに当接して止まるためには、
Ｗ３＜（Ｄ１＋Ｄ２）≦Ｗ２
の関係が成立する必要があり、本実施形態では、（Ｄ１＋Ｄ２）≒Ｗ２ないしは（Ｄ１＋Ｄ２）をＷ２よりも僅か小さくしている。これにより、図４に示すようにジョイント金具１６を縦フレーム１１，１１の上側金具挿入穴１１ａ内に収納している際のジョイント金具１６のガタ付き等を極力防止することができる。
【００３６】
また、ジョイント金具本体１６ａの上下両端部には縦フレーム１１，１１内側面と水平受金具１４ａとの間を通るようにジョイント金具本体１６ａ表面からＤ３だけ突出した突起部１６ｅ，１６ｆを設けている。
【００３７】
ここで、ジョイント金具１６の突起部１６ｅ，１６ｆが縦フレーム１１，１１の上側金具挿入穴１１ａ内に挿入した際、フレーム側ストッパーである水平受金具１４ａに当接せずに素通りするためには、
（Ｄ３＋Ｄ２）≦Ｗ３
の関係が成立する必要があり、本実施形態では、（Ｄ３＋Ｄ２）≒Ｗ３ないしは（Ｄ３＋Ｄ２）がＷ３よりも僅か小さくしている。これにより、図５に示すようにジョイント金具１６を縦フレーム１１，１１の上側金具挿入穴１１ａ内に逆刺しして上下方向の連結金具として使用した際にジョイント金具１６の突起部１６ｅ，１６ｆそれぞれが縦フレーム１１の上側金具挿入穴１１ａおよび下側金具挿入穴１１ｂ内に設けたフレーム側ストッパーである水平受金具１４ａ、１４ａに当接するため、上下方向の連結金具として使用する際のジョイント金具１６のガタ付き等を極力防止することができる。
【００３８】
また、ジョイント金具１６は、図４に示すように突起部１６ｆ側、すなわちジョイント金具側ストッパー１６ｄの設置位置からジョイント金具本体１６ａ端部までの長さが長尺側の端部を下にして縦フレーム１１の上側金具挿入穴１１ａに挿入した場合には、突起部１６ｅ側のジョイント金具本体１６ａ上端部が上側金具挿入穴１１ａに収容され、折り曲げ可能なベルト１６ｂの二重折畳み部１６ｂ１のみが突出すると共に、図５に示すように突起部１６ｅ側を下にして縦フレーム１１の上側金具挿入穴１１ａに挿入した場合には、突起部１６ｅ側のジョイント金具本体１６ａ端部が上側金具挿入穴１１ａに収容され、ジョイント金具本体１６ａの大半が上側金具挿入穴１１ａから突出するためには、
Ｌ３≦Ｌ１＜Ｌ５、かつ、Ｌ１＋Ｌ２≦Ｌ４
の関係が成立している。尚、ここでは、ジョイント金具側ストッパー１６ｄの上下方向の厚み等は無視している。
【００３９】
ジョイント金具１６のジョイント金具側ストッパー１６ｄを中心にしてＬ３≦Ｌ１＜Ｌ５としたため、図４に示すように、ジョイント金具１６の突起部１６ｆ側を下にして縦フレーム１１の上側金具挿入穴１１ａに挿入してジョイント金具側ストッパー１６ｄ下側が上側金具挿入穴１１ａ内に設けられた水平受金具１４ａ上端部に当接して止まった場合には、ジョイント金具１６の突起部１６ｅ側の上端部は上側金具挿入穴１１ａから上方に突出せず、ナイロン製のベルト１６ｂ上端部の二重折畳み部１６ｂ１のみが縦フレーム１１の上側金具挿入穴１１ａから突出することになる。
【００４０】
これにより、ジョイント金具１６が必要なときはベルト１６ｂ上端部を掴んで上側金具挿入穴１１ａから取り出すことができると共に、多機能フェンス１の上に別の多機能フェンス１を積載せずに使用する場合や多機能フェンス１の保管時には、フレーム１１の上側金具挿入穴１１ａから上方に突出するベルト１６ｂの二重折畳み部１６ｂ１は折り曲げ自在のナイロン製等の素材から形成されているため、折り曲げる等してジョイント金具１６を縦フレーム１１の上側金具挿入穴１１ａ内に収容させたり、上側水平フレーム１２の上側面に沿って折り曲げて邪魔にならないようにすることができる。
【００４１】
尚、本実施形態では、縦フレーム１１の上側金具挿入穴１１ａ内にジョイント金具１６収容後は、ジョイント金具１６を紛失しないように上側挿入穴用スライドシャッター１２ｃをスライドさせシャッター体１２ｃ２により上側金具挿入穴１１ａを遮蔽できるように構成して説明しているが、本考案ではこれに限定されることはなく、ナイロンベルトや樹脂キャップ等で上側金具挿入穴１１ａに蓋をしても良いし、上側水平フレーム１２の上側面に沿って折り曲げ、その上から上側シート両端開閉蓋部（図示せず。）を被せて飛び出さないようにすることもできる。
【００４２】
また、Ｌ１＋Ｌ２≦Ｌ４であるため、図５に示すようにジョイント金具１６を逆刺し、つまり図４の場合とは上下逆にジョイント金具１６を上下反転させてジョイント金具１６の突起部１６ｅ側を下にして縦フレーム１１の上側金具挿入穴１１ａに挿入した場合には、ジョイント金具１６の突起部１６ｆ側のジョイント金具本体１６ａは上側金具挿入穴１１ａから上方に突出するので、別の多機能フェンス１の縦フレーム１１の下側金具挿入穴１１ｂに挿入することができる。
【００４３】
これにより、多機能フェンス１の上に別の多機能フェンス１を積み上げる場合には、図４の場合とは異なりジョイント金具１６を上下反転させて、ジョイント金具１６の突起部１６ｅ側を下にして縦フレーム１１の上側金具挿入穴１１ａに挿入することにより、ジョイント金具１６を上下方向連結の際の接続金具として使用することが可能となる。
【００４４】
また、ジョイント金具１６は、後述する図１１に示すように多機能フェンス１を直線上に並べたり、図示はしないが直角に並べる際、隣接する多機能フェンス１の上側水平フレーム１２の連結用穴部１２ａ、１２ａにそれぞれ突起部１６ｅ，１６ｆを嵌め直線上に並べた多機能フェンス１および直角状に曲げて並べた多機能フェンス１の水平方向連結の際の連結金具としても使用することができる。尚、本考案では、ジョイント金具１６は、嵩上げ用脚部１７によって多機能フェンス１の上下方向の高さを嵩上げする際、水平材である下側水平フレーム１３と垂直材である嵩上げ用脚部支柱１７ｂとの方杖（斜め補強材）として機能させる。
【００４５】
(嵩上げ用脚部１７)
嵩上げ用脚部１７は、図６〜図８に示すように嵩上げ用脚部ベース１７ａと、嵩上げ用脚部支柱１７ｂの２物品で構成されており、本実施形態では嵩上げ用脚部支柱１７ｂは嵩上げ用脚部ベース１７ａに対し着脱可能に構成している。
【００４６】
（嵩上げ用脚部ベース１７ａ）
嵩上げ用脚部ベース１７ａは、例えば幅が図７に示すように６０ｍｍで、長さが図８に示すように１５００ｍｍ程の平面視、長方形状の鋼板で構成されたベース板１７ａ１と、図９（ａ）〜（ｄ）等に示すようにそのベース板１７ａ１上面における短手方向の中心から片側に寄せて溶接等して設けられた一対の脚部支柱挿入片１７ａ２，１７ａ２とから構成される。ここで、脚部支柱挿入片１７ａ２，１７ａ２をベース板１７ａ１上面であって短手方向の中心から片側に寄せて設けた理由は、片側に寄せて設けた一対の脚部支柱挿入片１７ａ２，１７ａ２を介して嵩上げ用脚部ベース１７ａに嵩上げ用脚部支柱１７ｂを装着すると、嵩上げ用脚部支柱１７ｂは嵩上げ用脚部ベース１７ａのベース板１７ａ１の短手方向の中心から片側にずれて立設されるので、左右両側の縦フレーム１１の下端部にそれぞれ嵩上げ用脚部１７を装着して嵩上げした複数の多機能フェンス１を直線状に並べて目隠し等して使用する際に、隣接する多機能フェンス１，１で縦フレーム１１，１１同士を接触させてその縦フレーム１１，１１の間に隙間が空かないようにするためである。ただし、脚部支柱挿入片１７ａ２，１７ａ２をベース板１７ａ１上面であって短手方向の中心に設けても勿論良い。
【００４７】
ベース板１７ａ１は、図６〜図９に示すように例えば幅６０ｍｍで長さが１５００ｍｍ程の平面視、長方形状の鋼板で構成されており、その長手方向の両端部の裏側には、滑り止め１７ａ１１が設けられている。
【００４８】
一対の脚部支柱挿入片１７ａ２，１７ａ２は、それぞれ、嵩上げ用脚部支柱１７ｂを構成する角パイプの内幅Ｗ８（図１０（ｃ）参照。）と同じ幅Ｗ５（図９（ａ）参照。）を有する鋼板で構成されており、嵩上げ用脚部支柱１７ｂの下端部に挿入されるものである。一対の脚部支柱挿入片１７ａ２，１７ａ２の外側面間の間隔Ｗ６（図９（ｄ）参照。）は、一対の脚部支柱挿入片１７ａ２，１７ａ２の幅Ｗ５および嵩上げ用脚部支柱１７ｂの内幅Ｗ８（図１０（ｃ）参照。）と同じで、嵩上げ用脚部支柱１７ｂの下端部に確実に挿入してガタ無く連結できるように構成されている。
【００４９】
また、一対の脚部支柱挿入片１７ａ２，１７ａ２の内側面間の間隔Ｗ７（図９（ｄ）参照。）は、嵩上げ用脚部支柱１７ｂを構成する角パイプの厚さＷ９（図１０（ｃ）参照。）の２倍にして、一対の脚部支柱挿入片１７ａ２，１７ａ２の内側面間に２本の嵩上げ用脚部支柱１７ｂの側面を接触させた状態で挿入できるように構成している。
【００５０】
(嵩上げ用支柱１７ｂ)
嵩上げ用脚部支柱１７ｂは、図１０（ａ）〜（ｄ）に示すように所定の厚さＷ９を有する正方形状の角パイプで構成された脚部支柱本体１７ｂ１の上部に、円筒状の連結用パイプ１７ｂ２をネジ１７ｂ３で固定して設けて構成されている。角パイプで構成された脚部支柱本体１７ｂ１の内幅は、Ｗ８（図１０（ｃ）参照。）であり、嵩上げ用脚部ベース１７ａの一対の脚部支柱挿入片１７ａ２，１７ａ２に嵌合状態で挿入して嵩上げ用脚部ベース１７ａに着脱可能に構成されている一方、連結用パイプ１７ｂ２の外径Ｒは、縦フレーム１１の内側面間の間隔Ｗ２（図４参照。）と同じにして縦フレーム１１の下端部に連結できるように構成している。尚、嵩上げ用脚部支柱１７ｂと縦フレーム１１とは同じ角パイプを使用しているため、嵩上げ用脚部支柱１７ｂの脚部支柱本体１７ｂ１の内幅Ｗ８（図１０（ｃ）参照。）と、縦フレーム１１の内側面間の間隔Ｗ２（図４参照。）とは同一となる。
【００５１】
また、脚部支柱本体１７ｂ１の側面には、図１０（ａ），（ｄ）等に示すようにジョイント金具１６の突起部１６ｅ，１６ｆのいずれか一方が挿入して嵌合する突起部挿入孔１７ｂ４が設けられている一方、突起部挿入孔１７ｂ４の上方であって連結用パイプ１７ｂ２の下方には、突起部挿入孔１７ｂ４が設けられた側面にボルト１７ｂ６およびナット１７ｂ７によってジョイント金具押えバー１７ｂ５が回転可能に設けられている。
【００５２】
ジョイント金具押えバー１７ｂ５は、後述する図１２や図１４に示すように嵩上げ用脚部１７が縦フレーム１１下端部に挿入されてジョイント金具１６の突起部１６ｅ，１６ｆがそれぞれ下側水平フレーム１３側面の突起部挿入孔１３ａ３と嵩上げ用脚部１７の嵩上げ用脚部支柱１７ｂ側面の突起部挿入孔１７ｂ４とに挿入して、ジョイント金具１６が水平材である下側水平フレーム１３と垂直材である嵩上げ用脚部支柱１７ｂとの方杖（斜め補強材）として機能させた際に、図１０（ｄ）に示すようにボルト１７ｂ６を回転軸として回転してジョイント金具１６が脱落しないようにジョイント金具１６の側面を外側から押えるものである。
【００５３】
そして嵩上げ用脚部１７は、図６〜図８および後述する図１２，図１３に示すように嵩上げ用脚部ベース１７ａの脚部支柱挿入片１７ａ２，１７ａ２に嵩上げ用脚部支柱１７ｂ下端部を挿入して組み立てる。嵩上げ用脚部１７は、後述するように嵩上げ用脚部支柱１７ｂの一対の挟持板１７ｂ４，１７ｂ４間に縦フレーム１１の下側金具挿入穴１１ｂの側面を挿入し、多機能フェンス１の左右両側の縦フレーム１１，１１の下側金具挿入穴１１ｂ，１１ｂ，１１ｂそれぞれに嵩上げ用脚部１７の一対の挟持板１７ｂ４，１７ｂ４を挟持させると、嵩上げ用脚部ベース１７ａの高さである１５ｍｍと脚部支柱本体１７ｂの高さである３００ｍｍの合計である約３１５ｍｍ程の嵩上げを行うことができる。
【００５４】
ただし、後述する図１４に示すように多機能フェンス１，１同士を横方向（横並び）に連結した連結箇所では、隣り合う多機能フェンス１の縦フレーム１１，１１の側面が接触した状態となり、接触状態で隣り合う２本の縦フレーム１１，１１をそれぞれ下方から支持する必要があるため嵩上げ用脚部ベース１７ａの一対の脚部支柱挿入片１７ａ２，１７ａ２にそれぞれ２本の嵩上げ用脚部支柱１７ｂの側面が接した状態で２本の嵩上げ用脚部支柱１７ｂの下端部を装着しても良い。
【００５５】
＜本考案に係る多機能フェンス１の使用方法＞
次に、以上のように構成された多機能フェンス１を図１１に示すように上下に積み上げて２段とすると共に、横方向にも連結して、さらに嵩上げ用脚部１７によって嵩上げする場合について説明する。ただし、嵩上げ用脚部１７は、多機能フェンス１を上下方向や横方向に連結しない場合でも装着して嵩上げすることが出来ると共に、上下方向に３段以上積み上げて嵩上げするようにしても勿論良い。
【００５６】
（多機能フェンス１を上下左右方向に連結）
まず、多機能フェンス１を上下に積み上げて２段とするためには、例えば、下側の多機能フェンス１の左右両側の縦フレーム１１，１１の上側金具挿入穴１１ａに図４に示すように挿入され収容されているジョイント金具１６を取り出して、図４の場合とは異なりジョイント金具１６を上下反転させ、図５に示すようにジョイント金具１６の突起部１６ｅ側を下にして縦フレーム１１の上側金具挿入穴１１ａに挿入する。
【００５７】
すると、左右両側の縦フレーム１１，１１の上側金具挿入穴１１ａからジョイント金具１６の突起部１６ｆ側が突出するため、上方に突出するジョイント金具１６の突起部１６ｆ側の上端部に、図５に示すように２段目となる別の多機能フェンス１の縦フレーム１１の下側金具挿入穴１１ｂを挿入する。
【００５８】
これで、ジョイント金具１６を介して図５や図１１に示すように２台の多機能フェンス１を上下方向に２段で簡単に連結することができる。これにより、１台の多機能フェンス１が約７５０ｍｍの高さを有するため、２段に積み上げることにより１５００ｍｍの高さにすることができる。
【００５９】
ここで、図１１に示す場合、多機能フェンス１を横方向（水平方向）にも連結するため、上段の多機能フェンス１の左右両側の縦フレーム１１，１１の上側金具挿入穴１１ａからジョイント金具１６を取り出し、横方向（水平方向）に並んでいる多機能フェンス１，１の上側水平フレーム１２，１２間にジョイント金具側ストッパー１６ｄおよび突起部１６ｅ，１６ｆ側が下側になるようにジョイント金具１６を載せ、ジョイント金具１６のジョイント金具側ストッパー１６ｄおよび突起部１６ｅ，１６ｆそれぞれを上側水平フレーム１２，１２それぞれに設けられた連結用穴部１２ａ，１２ａに嵌めて多機能フェンス１を直線状に連結した際の連結金具として使用する。
【００６０】
（上下左右方向に連結した多機能フェンス１を嵩上げ用脚部１７でさらに嵩上げする場合）
図５に示すようにジョイント金具１６を介して２台の多機能フェンス１を上下方向に２段に積み上げて連結した場合には、約１５００ｍｍの高さにすることができるものの、災害時等の目隠しフェンスとして使用する場合、高さがやや物足りず、１８００ｍｍ程度の高さが望まれている。
【００６１】
そのため、多機能フェンス１を上下方向に２段連結した上に、さらに図１１に示すように下段の多機能フェンス１の左右両側の縦フレーム１１の下側金具挿入穴１１ｂに嵩上げ用脚部１７の嵩上げ用脚部支柱１７ｂの嵩上げ用脚部支柱１７ｂ上部の連結用パイプ１７ｂ２を挿入して嵩上げを行う。
【００６２】
その際、多機能フェンス１を横方向に連結しない最外側（端）の箇所では、図１１のＡ部分やそのＡ部分を拡大した図１２、図１３に示すように、嵩上げ用脚部ベース１７ａの一対の脚部支柱挿入片１７ａ２，１７ａ２の両方を１本の嵩上げ用脚部支柱１７ｂ下端部に挿入して嵩上げ用脚部１７によって多機能フェンス１の最外側（端）の縦フレーム１１を嵩上げすることができる。
【００６３】
これに対し、複数の多機能フェンス１を横方向（横並び）に連結した連結箇所では、図１１のＢ部分やそのＢ部分を拡大した図１４に示すように、隣り合う多機能フェンス１の縦フレーム１１，１１の側面が接触した状態となり、接触状態で隣り合う２本の縦フレーム１１，１１をそれぞれ下方から支持する必要があるため、嵩上げ用脚部ベース１７ａの一対の脚部支柱挿入片１７ａ２，１７ａ２にそれぞれ２本の嵩上げ用脚部支柱１７ｂの側面が接した状態で２本の嵩上げ用脚部支柱１７ｂの下端部を装着する。
【００６４】
すると、図１４に示すように１つの嵩上げ用脚部ベース１７ａの上に２本の嵩上げ用脚部支柱１７ｂ，１７ｂを立設することが可能となる。
【００６５】
そのため、横方向に連結した連結箇所の２つの多機能フェンス１，１それぞれの隣接した縦フレーム１１，１１の下側金具挿入穴１１ｂ，１１ｂに２本の嵩上げ用脚部支柱１７ｂ，１７ｂ上部それぞれの連結用パイプ１７ｂ２，１７ｂ２を挿入して嵩上げ用脚部１７を装着することが可能となるので、複数の多機能フェンス１を横方向（横並び）に連結した連結箇所でも嵩上げ用脚部１７によって確実かつ安定した状態で嵩上げすることができる。
【００６６】
ただし、嵩上げ用脚部１７によって多機能フェンス１を嵩上げしただけでは、安定性に欠ける場合があるため、本考案では、使用していないジョイント金具１６を取り出してジョイント金具１６を下側水平フレーム１３と嵩上げ用脚部支柱１７ｂとの方杖（斜め補強材）として装着する。
【００６７】
具体的には、図１１〜図１４に示すようにジョイント金具１６の突起部１６ｅ，１６ｆをそれぞれ下側水平フレーム１３側面の突起部挿入孔１３ａ３と嵩上げ用脚部１７の嵩上げ用脚部支柱１７ｂ側面の突起部挿入孔１７ｂ４に挿入する。
【００６８】
これにより、ジョイント金具１６が下側水平フレーム１３と嵩上げ用脚部支柱１７ｂとの間の方杖（斜め補強材）として機能するので、嵩上げ用脚部１７によって嵩上げした場合でも安定性を向上させることができる。
【００６９】
ただし、この場合には、ジョイント金具１６の突起部１６ｅ，１６ｆをそれぞれ下側水平フレーム１３側面の突起部挿入孔１３ａ３と嵩上げ用脚部１７の嵩上げ用脚部支柱１７ｂ側面の突起部挿入孔１７ｂ４に挿入しただけであるため、振動や揺れがあった場合、ジョイント金具１６が落下する可能性が残る。
【００７０】
そのため、図１０（ｄ）に示すように嵩上げ用脚部１７の嵩上げ用脚部支柱１７ｂにボルト１７ｂ６によって回転可能に取り付けたジョイント金具押えバー１７ｂ５を、そのボルト１７ｂ６を回転軸として回転させて、図１２〜図１４に示すようにジョイント金具１６の側面を外側から押える。
【００７１】
これにより、ジョイント金具１６の突起部１６ｅ，１６ｆをそれぞれ下側水平フレーム１３側面の突起部挿入孔１３ａ３と嵩上げ用脚部１７の嵩上げ用脚部支柱１７ｂ側面の突起部挿入孔１７ｂ４に挿入してジョイント金具１６を下側水平フレーム１３と嵩上げ用脚部支柱１７ｂとに斜めに方杖（斜め補強材）として取り付けただけでも、方杖（斜め補強材）であるジョイント金具１６をジョイント金具押えバー１７ｂ５と下側水平フレーム１３および嵩上げ用脚部支柱１７ｂとの間で挟持するように押えることができるので、ジョイント金具１６が落下することを確実に防止することが可能となり、多機能フェンス１に嵩上げ用脚部１７を装着して嵩上げした場合でも安定性を向上させることができる。
【００７２】
また、ジョイント金具押えバー１７ｂ５を回転させてジョイント金具１６を外側から押えた際に、ジョイント金具押えバー１７ｂ５がその重量等によって時計周りに回転しようとしても、図１２や図１４に示すようにジョイント金具押えバー１７ｂ５の先端がジョイント金具本体１６ａにベルト１６ｂを固定している４本のビス１６ｃの内の１本のビス１６ｃに当接して回転が止まり、ジョイント金具１６を外側から押えた状態を維持するので、この点でも多機能フェンス１に嵩上げ用脚部１７を装着して嵩上げした場合でも安定性を向上させることができる。
【００７３】
尚、嵩上げ用脚部１７の装着により約３１５ｍｍ程の嵩上げを行うことができるので、本実施形態の多機能フェンス１を上下方向に２段積重ねた上で下側の多機能フェンス１左右両側の縦フレーム１１，１１それぞれに嵩上げ用脚部１７を装着して高さ約１８００ｍｍとなり、災害時等の目隠しと非常に有益となる。
【００７４】
＜実施形態の多機能フェンス１のまとめ＞
以上説明したように本考案に係る実施形態の多機能フェンス１では、左右両側の縦フレーム１１，１１とそれらの上下に設けられた上側水平フレーム１２および下側水平フレーム１３とを備えたほぼ長方形状のフレーム１０と、そのフレーム１０に囲まれた空間を覆う間仕切り材としての間仕切りシート１５と、ジョイント金具１６と、左右両側の縦フレーム１１，１１の下端部にそれぞれ装着して多機能フェンス１の高さを嵩上げする嵩上げ用脚部１７とを備え、ジョイント金具１６の両端部の一方の側面には、それぞれ、ジョイント金具１６の長手方向に対し直交する方向に突出した突起部１６ｅ，１６ｆを設ける一方、下側水平フレーム１３の側面と、嵩上げ用脚部１７の嵩上げ用脚部支柱１７ｂの側面には、それぞれ、ジョイント金具１６の突起部１６ｅ，１６ｆが挿入される突起部挿入孔１３ａ３，１７ｂ４を設けている。
【００７５】
そのため、ジョイント金具１６の突起部１６ｅ，１６ｆをそれぞれ下側水平フレーム１３側面の突起部挿入孔１３ａ３と嵩上げ用脚部１７の嵩上げ用脚部支柱１７ｂ側面の突起部挿入孔１７ｂ４に挿入してジョイント金具１６を下側水平フレーム１３と嵩上げ用脚部支柱１７ｂとの方杖（斜め補強材）として機能させることが出来るので、嵩上げ用脚部１７によって多機能フェンス１を嵩上げした際の安定性を向上させることができる。
【００７６】
また、本考案に係る実施形態の多機能フェンス１では、嵩上げ用脚部１７の嵩上げ用脚部支柱１７ｂには、ボルト１７ｂ６およびナット１７ｂ７によってジョイント金具押えバー１７ｂ５を設けている。
【００７７】
そのため、ジョイント金具１６の突起部１６ｅ，１６ｆをそれぞれ下側水平フレーム１３側面の突起部挿入孔１３ａ３と嵩上げ用脚部１７の嵩上げ用脚部支柱１７ｂ側面の突起部挿入孔１７ｂ４に挿入してジョイント金具１６を方杖（斜め補強材）として機能させた際に、ジョイント金具押えバー１７ｂ５によってジョイント金具１６の側面を外側から押えることにより、ジョイント金具１６の脱落を防止することができるので、嵩上げ用脚部１７の装着によって多機能フェンス１をした場合でもより安定性を向上させることができる。
【００７８】
また、本考案に係る実施形態の多機能フェンス１では、ジョイント金具押えバー１７ｂ５は、嵩上げ用脚部１７の嵩上げ用脚部支柱１７ｂにボルト１７ｂ６およびナット１７ｂ７によって回転可能に設けている。
【００７９】
そのため、ジョイント金具１６を方杖（斜め補強材）として機能させた際に、図１０（ｄ）に示すようにボルト１７ｂ６を回転軸としてジョイント金具押えバー１７ｂ５を回転してジョイント金具１６の側面を外側から押えることにより、ジョイント金具１６の脱落を簡単に防止することができる。
【００８０】
また、実施形態の多機能フェンス１では、ジョイント金具１６の裏面には、少なくとも一方の端部から突出したベルト１６ｂが所定間隔を開けた複数本のビス１６ｃで取り付けられており、その複数本のビス１６ｃの内、一本のビス１６ｃは、ジョイント金具押えバー１７ｂ５が基端を中心に回転して下側水平フレーム１３の側面と嵩上げ用脚部１７の嵩上げ用脚部支柱１７ｂの側面に設けられた突起部挿入孔１３ａ３,１７ｂ４に突起部１６ｅ，１６ｆが挿入された当該ジョイント金具１６を外側から押えた状態からさらに回転した際に、ジョイント金具押えバー１７ｂ５に当接する位置に設けている。
【００８１】
そのため、実施形態の多機能フェンス１によれば、ジョイント金具押えバー１７ｂ５を回転させてジョイント金具１６の側面を押えて下側水平フレーム１３と嵩上げ用脚部支柱１７ｂとの方杖（斜め補強材）として機能させた際に、ジョイント金具押えバー１７ｂ５の回転し過ぎを防止してジョイント金具１６の落下を確実に防止することができるので、嵩上げ用脚部１７，１７を装着した際の安定性をさらに向上させることができる。
【００８２】
また、実施形態の多機能フェンス１では、嵩上げ用脚部支柱１７ｂは、所定の厚さを有する方形状で中空の角パイプで構成されている一方、嵩上げ用脚部ベース１７ａは、その上面に嵩上げ用脚部支柱１７ｂを構成する角パイプの内幅と同じ幅を有し中空の下端部に挿入される一対の脚部支柱挿入片１７ａ２，１７ａ２が設けられており、その一対の脚部支柱挿入片１７ａ２，１７ａ２の外側面間の間隔は、嵩上げ用脚部支柱１７ｂを構成する角パイプの内幅と同じであり、かつ、その一対の脚部支柱挿入片１７ａ２，１７ａ２の内側面間の間隔は、嵩上げ用脚部支柱１７ｂの所定の厚さと同じであり、嵩上げ用脚部支柱１７ｂは、嵩上げ用脚部ベース１７ａに対し着脱可能に構成している。
【００８３】
そのため、嵩上げ用脚部支柱１７ｂを嵩上げ用脚部ベース１７ａに装着して嵩上げ用脚部１７を構築する際に、多機能フェンス１を横方向に連結しない最外側（端）の箇所では、嵩上げ用脚部ベース１７ａの一対の脚部支柱挿入片１７ａ２，１７ａ２の両方を１本の嵩上げ用脚部支柱１７ｂ下端部に挿入して嵩上げ用脚部１７によって嵩上げすることができる一方、多機能フェンス１を横方向に連結した連結箇所では、嵩上げ用脚部ベース１７ａの一対の脚部支柱挿入片１７ａ２，１７ａ２にそれぞれ２本の嵩上げ用脚部支柱１７ｂの側面が接した状態で２本の嵩上げ用脚部支柱１７ｂの下端部に挿入して横方向に連結した連結箇所の２つの多機能フェンス１それぞれの縦フレーム１１，１１の下側金具挿入穴１１ｂ，１１ｂに嵩上げ用脚部１７を装着することが可能となり、分割構成した嵩上げ用脚部ベース１７ａと嵩上げ用脚部支柱１７ｂとを上手く組み合わせることによって横方向に連結した複数の多機能フェンス１を効率良く嵩上げすることができる。
【００８４】
また、実施形態の多機能フェンス１では、一対の脚部支柱挿入片１７ａ２，１７ａ２は、嵩上げ用脚部ベース１７ａのベース板１７ａ１の上面であって短手方向の中心から片側にずらして設けている。
【００８５】
そのため、一対の脚部支柱挿入片１７ａ２，１７ａ２を介して嵩上げ用脚部ベース１７ａに嵩上げ用脚部支柱１７ｂを装着すると、嵩上げ用脚部支柱１７ｂは嵩上げ用脚部ベース１７ａのベース板１７ａ１の短手方向の中心から片側にずれて立設するので、嵩上げ用脚部１によって嵩上げした多機能フェンス１，１同士を隣接して直線状に並べた際に隣接する多機能フェンス１，１の縦フレーム１１，１１同士を接触させて、その縦フレーム１１，１１の間に隙間が空かないようにすることが可能となり、目隠しとしての機能を向上させることができる。
【００８６】
尚、上記実施形態の説明では、図２に示すように間仕切りシート１５と長方形フレーム１０とは雄雌の面ファスナー１５ａ，１５ｂで着脱自在に装着可能に説明したが、本考案ではこれに限らず、磁石や紐等により長方形フレーム１０に着脱自在に装着可能となるようにしても勿論良い。
【００８７】
また、上記実施形態の説明では、多機能フェンス１の長方形フレーム１０を構成する左右両側の縦フレーム１１，１１や上側水平フレーム１２および下側水平フレーム１３は全て断面が正方形状の角パイプにより説明したが、これはあくまで一例であって本考案はこれに限定されるものではなく、縦フレーム１１，１１や上側水平フレーム１２および下側水平フレーム１３に断面が円形や楕円形の丸パイプ（円管）等を使用しても良いし、上側水平フレーム１２および下側水平フレーム１３のみ断面正方形状の角パイプを使用し、縦フレーム１１，１１には丸パイプ（円管）等を使用するというように組み合わせても勿論良く、縦フレーム１１，１１や上側水平フレーム１２および下側水平フレーム１３に断面形状を適宜変更しても本考案の範囲に当然に含まれるものである。
【００８８】
また、上記実施形態の説明では、多機能フェンス１の幅が１４００ｍｍ、高さが７５０ｍｍで説明したが、これはあくまで一例であって本考案はこの寸法に限定されるものではなく、例えば、幅が２０００ｍｍで高さが７５０ｍｍ、幅が２０００ｍｍで高さが８００ｍｍ、幅が１８００ｍｍで高さが７５０ｍｍ、幅が１２００ｍｍで高さが８００ｍｍ等、幅および高さを適宜変更しても本考案の範囲に当然に含まれるものである。
【００８９】
また、上記実施形態の説明では、嵩上げ用脚部１７は嵩上げ用脚部ベース１７ａと嵩上げ用脚部支柱１７ｂとの２物品で着脱可能に構成して説明したが、本考案では、これに限定されず、嵩上げ用脚部ベース１７ａと嵩上げ用脚部支柱１７ｂが溶接等によって一体で構成しても勿論良い。
【００９０】
以上、本考案に係る実施形態の多機能フェンス１を説明したが、上記に説明した実施形態の多機能フェンス１の構成や形状、寸法、大きさ等はあくまで本考案の一例であって本考案は上記の実施形態に限定されるものではなく、本考案の技術思想の範囲内で多機能フェンスの構成や形状、寸法、大きさ等は適宜変更可能である。
【符号の説明】
【００９１】
１  多機能フェンス
１０  長方形フレーム
１１  縦フレーム
１１ａ  上側金具挿入穴
１１ｂ  下側金具挿入穴
１２  上側水平フレーム
１２ａ  連結用穴部
１２ｂ  スライドシャッター挿入穴
１２ｃ  上側挿入穴用スライドシャッター
１２ｃ１  スライド体
１２ｃ２  シャッター体
１３  下側水平フレーム
１３ａ  回転式標準脚部
１３ａ１  水平鋼板
１３ａ２  滑り止め
１３ａ３  突起部挿入孔
１３ｂ  スライドシャッター挿入穴
１３ｃ  下側挿入穴用スライドシャッター
１３ｃ１  スライド体
１３ｃ２  シャッター体
１４  コーナー金具
１４ａ  受金具（フレーム側ストッパー）
１５  間仕切りシート（間仕切り材）
１５ａ  雄の面ファスナー
１５ｂ  雌の面ファスナー
１６  ジョイント金具
１６ａ  ジョイント金具本体
１６ｂ  ベルト
１６ｂ１  折返し部
１６ｃ  ビス
１６ｄ  ジョイント金具側ストッパー
１６ｅ  短尺側突起部
１６ｆ  長尺側突起部
１７  嵩上げ用脚部
１７ａ  嵩上げ用脚部ベース
１７ａ１  土台本体
１７ａ２  脚部支柱挿入片
１７ａ１１  滑り止め
１７ｂ  嵩上げ用脚部支柱
１７ｂ１  脚部支柱本体
１７ｂ２  連結用パイプ
１７ｂ３  ネジ
１７ｂ４  突起部挿入孔
１７ｂ５  ジョイント金具押えバー
１７ｂ６  ボルト
１７ｂ７  ナット
【図１】
0003235011.tif 000003
【図２】
0003235011.tif 000004
【図３】
0003235011.tif 000005
【図４】
0003235011.tif 000006
【図５】
0003235011.tif 000007
【図６】
0003235011.tif 000008
【図７】
0003235011.tif 000009
【図８】
0003235011.tif 000010
【図９】
0003235011.tif 000011
【図１０】
0003235011.tif 000012
【図１１】
0003235011.tif 000013
【図１２】
0003235011.tif 000014
【図１３】
0003235011.tif 000015
【図１４】
0003235011.tif 000016